(57)【要約】  【課題】軽量化を実現し易く、一定の強度を有しつつ既存のメッシュパレットに対する段重ねも無理なく実現可能な格納コンテナを提供する。  【解決手段】中空をなす各板材１１間に形成される稜線部に金属製のフレーム材たる稜線部フレーム材１４を設けたスリーブ１と、スリーブ１の下部を閉塞する下のパレット２と、下のパレット２に装着された脚３とを備えた格納コンテナＡであって、脚３の底面に、金属により構成されたメッシュパレットＢにおける上端部フレームＦが配設され得る少なくとも下方に開放した凹部を備えている。格納コンテナＡは、凹部をメッシュパレットＢにおける上端部フレームＦに係り合わせた状態で当該メッシュパレットＢ上に載設可能に構成されている。【選択図】図１
2020083366.tif 000002
【特許請求の範囲】
【請求項１】
中空をなす前の板材、後の板材、及び、左右の板材により構成されこれら各板材間に形成される稜線部に金属製のフレーム材を設けたスリーブと、このスリーブの下部を閉塞する下のパレットと、この下のパレットに装着された脚とを備えた格納コンテナであって、
前記脚の底面に、金属により構成されたメッシュパレットにおける上端部フレームが配設され得る少なくとも下方に開放した凹部を備えたものであり、
前記凹部を前記メッシュパレットにおける上端部フレームに係り合わせた状態で当該メッシュパレット上に載設可能に構成されている格納コンテナ。
【請求項２】
前記スリーブにおける上の開口縁及び下の開口縁がそれぞれ金属製のフレーム材により補強されたものである請求項１記載の格納コンテナ。
【請求項３】
前記中空をなす前の板材、後の板材、及び、左右の板材が、それぞれプラスチック中空板である請求項１又は２記載の格納コンテナ。
【請求項４】
前記プラスチック中空板が、一枚ないし二枚のシート材を凹凸形状に成形してなる中間シートと、この中間シートを挟むように設けられた二枚の表層シートとによって構成されたものである請求項３記載の格納コンテナ。
【請求項５】
前記凹部が、前記メッシュパレットにおける上端部フレームを配設し得る底面視略直線状の部分を有したものである請求項１、２、３又は４記載の格納コンテナ。
【請求項６】
前記凹部が、前記メッシュパレットにおける上端部フレームの角部分を配設し得る底面視略Ｌ字状の部分を有したものである請求項１、２、３、４又は５記載の格納コンテナ。
【請求項７】
前記スリーブの上部を閉塞し得る蓋体を備えている請求項１、２、３、４、５又は６記載の格納コンテナ。
【発明の詳細な説明】
【技術分野】
【０００１】
本発明は、種々の物品を収容可能な格納コンテナに関する。
【背景技術】
【０００２】
近年、資源の再利用が各業界で進むに伴い、資源の回収・保管用容器のニーズが拡大してきている。従来から工場や倉庫等において種々の物品の回収・保管用容器として使用される金属製のメッシュパレットが知られている（例えば、非特許文献１を参照）。
【０００３】
メッシュパレットは金属製のものであるため丈夫で壊れにくいという点で好適なものであるが、金属製であるが故に一定の重量があるため、移動する際や段重ねを行う際の作業者の負担が大きいものとなっている。
【０００４】
また、メッシュパレットにおける底壁や周壁は、基本的に網状をなしているため、内部に収容された物品が底壁や周壁の網目から外部に出てしまったり、雨天等により内部に収容された物品が濡れてしまったりするということが問題になる場合がある。かかる問題に対処する場合には、底壁や周壁にボードやパネル等の板状部材を組み付けなければならなかった。
【先行技術文献】
【特許文献】
【０００５】
【非特許文献１】”第一合成株式会社ウェブサイト”、〔ｏｎｌｉｎｅ〕、〔平成３０年１０月１９日検索〕、インターネット（ＵＲＬ：ｈｔｔｐ：／／ｗｗｗ．ｄａｉｉｃｈｉｇｏｓｅｉ．ｃｏ．ｊｐ／ａｒｃｈｉｖｅｓ／ｐｒｏｄｕｃｔｓ／ｍｅｓｈ−ｐａｌｅｔｔｅ−ｂｏｘ−ｐａｌｅｔｔｅ）
【発明の概要】
【発明が解決しようとする課題】
【０００６】
本発明は、以上のような事情に着目してなされたもので、少なくとも、軽量化を実現し易く、一定の強度を有しつつ既存のメッシュパレットに対する段重ねも無理なく実現可能な格納コンテナを提供することにある。
【課題を解決するための手段】
【０００７】
すなわち、本発明は次の構成をなしている。
【０００８】
請求項１に記載の発明は、中空をなす前の板材、後の板材、及び、左右の板材により構成されこれら各板材間に形成される稜線部に金属製のフレーム材を設けたスリーブと、このスリーブの下部を閉塞する下のパレットと、この下のパレットに装着された脚とを備えた格納コンテナであって、前記脚の底面に、金属により構成されたメッシュパレットにおける上端部フレームが配設され得る少なくとも下方に開放した凹部を備えたものであり、前記凹部を前記メッシュパレットにおける上端部フレームに係り合わせた状態で当該メッシュパレット上に載設可能に構成されている格納コンテナである。
【０００９】
請求項２に記載の発明は、前記スリーブにおける上の開口縁及び下の開口縁がそれぞれ金属製のフレーム材により補強されたものである請求項１記載の格納コンテナである。
【００１０】
請求項３に記載の発明は、前記中空をなす前の板材、後の板材、及び、左右の板材が、それぞれプラスチック中空板である請求項１又は２記載の格納コンテナである。
【００１１】
請求項４に記載の発明は、前記プラスチック中空板が、一枚ないし二枚のシート材を凹凸形状に成形してなる中間シートと、この中間シートを挟むように設けられた二枚の表層シートとによって構成されたものである請求項３記載の格納コンテナである。
【００１２】
請求項５に記載の発明は、前記凹部が、前記メッシュパレットにおける上端部フレームを配設し得る底面視略直線状の部分を有したものである請求項１、２、３又は４記載の格納コンテナである。
【００１３】
請求項６に記載の発明は、前記凹部が、前記メッシュパレットにおける上端部フレームの角部分を配設し得る底面視略Ｌ字状の部分を有したものである請求項１、２、３、４又は５記載の格納コンテナである。
【００１４】
請求項７に記載の発明は、前記スリーブの上部を閉塞し得る蓋体を備えている請求項１、２、３、４、５又は６記載の格納コンテナである。
【発明の効果】
【００１５】
以上説明したように本発明によれば、少なくとも、軽量化を実現し易く、一定の強度を有しつつ既存のメッシュパレットに対する段重ねも無理なく実現可能な格納コンテナを提供することができる。
【図面の簡単な説明】
【００１６】
【図１】本発明の一実施形態を示す正面図。
【図２】同実施形態における分解斜視図。
【図３】同実施形態における斜視図。
【図４】同実施形態における分解正面図。
【図５】同実施形態における下のパレット及び脚の正面図。
【図６】同実施形態における下のパレット及び脚の概略底面図。
【図７】同実施形態における下のパレット及び脚の概略外側面図。
【図８】同実施形態における脚の概略斜視図。
【図９】板材の一例を示す概略的な端面図。
【図１０】板材の一例を示す概略的な端面図。
【図１１】他の実施形態を示す下のパレット及び脚の正面図。
【図１２】同実施形態における下のパレット及び脚の概略底面図。
【図１３】同実施形態における脚の概略斜視図。
【図１４】他の同実施形態における下のパレット及び脚の概略底面図。
【発明を実施するための形態】
【００１７】
以下、本発明の一実施形態を、図１〜８を参照して説明する。なお、図９や図１０に示すものは、スリーブ１の板材１１、１２、１３として適用されるプラスチック中空板Ｐを例示したものである。また、図１１〜１４は、他の実施形態を示している。図１〜１４の各図に示したものは、あくまでも本発明の実施形態を例示したものであって、本発明の趣旨を逸脱しない範囲で種々変形され得るものであることは言うまでもない。
【００１８】
この実施形態は、本発明を、種々の物品を収容し得る格納コンテナＡに適用したものである。格納コンテナＡは、既存のメッシュパレットＢの上に安定した姿勢で段積み可能に構成されている。
【００１９】
格納コンテナＡは、プラスチック中空板Ｐである前の板材１１、後の板材１２、及び、左右の板材１３を有したスリーブ１を備えている。スリーブ１は、各板材１１、１２、１３の側端部間すなわち前の板材１１と左右の板材１３との間、及び、後の板材１２と左右の板材１３との間に形成される稜線部に、上下方向に延びた金属製のフレーム材たる稜線部フレーム材１４を設けている。
【００２０】
また、格納コンテナＡは、スリーブ１の下部を閉塞する下のパレット２と、下のパレット２に装着された脚３と、スリーブ１の上部を閉塞し得る蓋体４を備えている。
【００２１】
格納コンテナＡは、既知の構成をなす金属製のメッシュパレットＢの上に安定した状態つまりメッシュパレットＢに対してずれ動き難い状態で載設され得るように構成されている。
【００２２】
メッシュパレットＢは、比較的細径をなす金属フレームを用いて網状に作られた前後の網壁５１、５２、及び、左右の網壁５３を有してなる四角筒状の周壁５と、周壁５の下部を閉塞する底網壁６と、底網壁６の角部に設けられた支持脚７を有してなる既知の構成のものである。メッシュパレットＢにおいて矩形環状に形成された上端部フレームＦすなわち周壁５の上縁部は、種々の物品を収容し得る内部空間と外部空間とを連通し得る開口縁を構成したものとなっている。
【００２３】
本実施形態における格納コンテナＡは、脚３の底面に、メッシュパレットＢの上端部フレームＦが配設され得る形態をなし下方に開放した凹部Ｈ、Ｊを備えている。格納コンテナＡは、人力やフォークリフト等の搬送手段により搬送されるものである。そして、格納コンテナＡの脚３に設けた凹部Ｈ、ＪをメッシュパレットＢの上端部フレームＦに係り合わせることにより、当該格納コンテナＡをメッシュパレットＢに対してずれ動かないように位置決めすることができるようになっている。
【００２４】
以下、格納コンテナＡの各構成について詳述する。
【００２５】
スリーブ１は、全体として上下に開放された四角筒状に構成されている。スリーブ１は、前の板材１１と、前の板材１１と平行に配された後の板材１２と、前の板材１１、及び、後の板材１２の側端縁間に配された左右の板材１３と、各板材１１、１２、１３の側端縁間に介在し各板材１１、１２、１３同士を連結する金属製の稜線部フレーム材１４とを備えている。
【００２６】
前の板材１１、後の板材１２、及び、左右の板材１３は、それぞれ中空をなしたものである。この実施形態の各板材１１、１２、１３は、合成樹脂製のプラスチック中空板Ｐを適用したものとなっている。
【００２７】
プラスチック中空板Ｐは、例えば図９において一例を示すように、一枚のシート材を凹凸形状に成形してなる中間シート８１と、当該中間シート８１を挟むように設けられた二枚の表層シート８２とによって構成されたものである。また、プラスチック中空板Ｐは、例えば図１０において一例を示すように、二枚の中間シート８１を積層してなる中間シート積層体８３と、当該中間シート積層体８３を挟むように設けられた二枚の表層シート８２とによって構成されたものである。
【００２８】
稜線部フレーム材１４は、上下方向に延びてなる金属製（例えば、アルミ製）のものである。稜線部フレーム材１４は、スリーブ１における四つの稜線部たるコーナー部分に位置しスリーブ１全体の剛性を高める役割を担う。稜線部フレーム材１４は、四角筒状をなすスリーブ１の四つ角に設けられるものである。稜線部フレーム材１４は、各板材１１、１２、１３間に介設され、各板材１１、１２、１３同士を連結する役割を担っている。
【００２９】
なお、稜線部フレーム材１４と各板材１１、１２、１３とは適宜の方法で連結されるものである。例えば、稜線部フレーム材１４に内嵌した各板材１１、１２、１３の端部を、リベット等の止着部を使用して稜線部フレーム材１４に固定することにより、稜線部フレーム材１４と各板材１１、１２、１３とを連結する態様が挙げられる。
【００３０】
スリーブ１における上の開口縁ｅｕ及び下の開口縁ｅｓは、それぞれ金属製（例えば、アルミ製やスチール製）のフレーム材たる水平フレーム材１５により補強されている。水平フレーム材１５は、各板材１１、１２、１３の上端縁及び下端縁に外嵌し得る略コ字状の形状をなしている。水平フレーム材１５は、図４に示すように、止着具であるリベットｖ１により各板材１１、１２、１３に取り付けられている。
【００３１】
以上の構成をなすスリーブ１は、その下端縁が下のパレット２の周縁部に設けられた図示しないスリーブ受溝と係り合い、下のパレット２に保持されるようになっている。
【００３２】
下のパレット２は、スリーブ１における下開口部分を閉塞する閉塞部材の役割を担っている。下のパレット２は、例えば、ブロー成形により作られたものである。この実施形態では、下のパレット２は、蓋体４と互いに同一の形状をなしている。下のパレット２は、平面視略矩形状をなす底壁２１と、底壁２１の周縁から上方に延設された外側壁２２とを備えたものである。
【００３３】
底壁２１の内面には、スリーブ１の下端縁を支持するための図示しないスリーブ受溝が形成されている。スリーブ１と下のパレット２とは、種々の方法で連結されるが例えば図示しないロック機構により着脱可能に連結することも可能である。
【００３４】
脚３は、合成樹脂製のものである。脚３は、下のパレット２の下面に取り付けられるブロック状のものである。この実施形態では、脚３は、正面視において、左右に対をなして配された左右の側脚部材３１と、左右の側脚部材３１間に配された中間脚部材３２とを備えてなるものである。
【００３５】
脚３の底面すなわち左右の側脚部材３１及び中間脚部材３２の底面には、メッシュパレットＢの上端部フレームＦが配設され得る下方に開放した凹部Ｈ、Ｊを備えている。しかして、格納コンテナＡは、左右の側脚部材３１及び中間脚部材３２に設けられた凹部Ｈ、ＪをメッシュパレットＢにおける上端部フレームＦに係り合わせた状態で当該メッシュパレットＢ上に載設可能に構成されている。
【００３６】
左右の側脚部材３１と中間脚部材３２は、下のパレット２に互いに間隔を空けて取り付けられている。そして、左右の側脚部材３１と中間脚部材３２との間には、フォークリフトのフォークが通過し得る空間ｓｐが形成されている。
【００３７】
左右の側脚部材３１は、前後方向に延びたブロック状のものである。左右の側脚部材３１は、下方に開放された凹部Ｈを有するベース部３１ａと、ベース部３１ａの上に前後方向に間隔を空けて突設されたパレット接続部３１ｂとを備えている。左の側脚部材３１と右の側脚部材３１とは対称形状をなしている。
【００３８】
ベース部３１ａは、底面視においてコ字状をなす凹部Ｈが設けられている。すなわち、ベース部３１ａに設けられた凹部Ｈは、メッシュパレットＢにおける上端部フレームＦを配設し得る底面視略直線状の部分ｈ１を有したものであるとともに、メッシュパレットＢにおける上端部フレームＦの角部分Ｆｃを配設し得る底面視略Ｌ字状の部分を有したものであり、全体としてコ字状をなしている。
【００３９】
パレット接続部３１ｂは、下のパレット２の下面に添接する上向面ｍ１と、上向面ｍ１の略中央部に穿設され連結部材ｖ２の先端部が挿入される挿入孔ｎ１を有している。
【００４０】
下のパレット２と左右の側脚部材３１とは、例えば、止着具を介して連結される。より具体的な一例を挙げれば、下のパレット２と左右の側脚部材３１とは、下のパレット２の底壁２１に配した連結部材挿入孔２１ａに挿通された止着具たる連結部材を、パレット接続部３１ｂの挿入孔ｎ１に挿入した状態で回転溶着（スピンウェルド）することにより、相互に連結されるものとなっている。なお、下のパレット２と脚３（左右の側脚部材３１や中間脚部材３２）とを連結する方法や連結に使用される止着具は種々適用し得るものである。例えば、止着具はねじやリベットであってもよい。
【００４１】
中間脚部材３２は、下方に開放された凹部Ｊを有するベース部３２ａと、このベース部３２ａの上に前後方向に間隔を空けて突設されたパレット接続部３２ｂとを備えている。中間脚部材３２のベース部３２ａに形成された凹部Ｊは、メッシュパレットＢにおける上端部フレームＦを配設し得る底面視略直線状の部分ｊ１を有したものとなっている。パレット接続部３２ｂは、下のパレット２の下面に添接する上向面ｍ２と、上向面ｍ２の略中央部に穿設され連結部材ｖ２の先端部が挿入される挿入孔ｎ２を有している。
【００４２】
蓋体４は、必要に応じてスリーブ１の開口部を閉塞し得るものである。蓋体４は、下のパレット２と互いに同一の形状をなしている。本実施形態では、下のパレット２と同一形状をなすものを下のパレット２の姿勢から水平軸まわりに１８０度回転させた姿勢のものを用いている。蓋体４は、天壁４１と、天壁４１の周縁から垂下した外側壁４２とを備えている。
【００４３】
なお、蓋体４は、雨水等を避ける必要がある場合にのみ適宜使用されるものであり、格納コンテナＡにおいて必須の構成ではない。また、蓋体４は、下のパレット２と同一形状に構成したものでなくてもよいのはもちろんのことである。
【００４４】
以上説明したように、本実施形態に係る格納コンテナＡは、中空をなす前の板材１１、後の板材１２、及び、左右の板材１３により構成され各板材１１、１２、１３間に形成される稜線部に金属製のフレーム材たる稜線部フレーム材１４を設けたスリーブ１と、スリーブ１の下部を閉塞する下のパレット２と、下のパレット２に装着された脚３とを備えたものである。そして、脚３の底面に、金属により構成されたメッシュパレットＢにおける上端部フレームＦが配設され得る少なくとも下方に開放した凹部Ｈ、Ｊを備えたものであり、凹部Ｈ、ＪをメッシュパレットＢにおける上端部フレームＦに係り合わせた状態で当該メッシュパレットＢ上に載設可能に構成されている。
【００４５】
このため、少なくとも、軽量化を実現し易く、一定の強度を有しつつ既存のメッシュパレットＢに対する段重ねも無理なく実現可能な格納コンテナＡを提供することができる。
【００４６】
すなわち、各板材１１、１２、１３は中空をなすものであるため格納コンテナＡ全体の軽量化に資するものとなっている。しかも、稜線部に金属製のフレーム材たる稜線部フレーム材１４を設けているので格納コンテナＡ全体として一定の強度を確保し易いものとなっている。また、格納コンテナＡは、脚３の底面に既存のメッシュパレットＢにおける上端部フレームＦに係わり合う凹部Ｈ、Ｊを設けているため、段重ねも好適に実施し得るものとなっている。
【００４７】
スリーブ１における上の開口縁ｅｕ及び下の開口縁ｅｓがそれぞれ金属製のフレーム材たる水平フレーム材１５により補強されたものである。このため、各板材１１、１２、１３の周縁部は、水平フレーム材１５及び稜線部フレーム材１４により好適に補強され、格納コンテナＡ全体の強度の向上に資するものとなっている。
【００４８】
中空をなす前の板材１１、後の板材１２、及び、左右の板材１３が、それぞれプラスチック中空板Ｐである。このため、軽量且つ剛性に優れた素材を板材１１、１２、１３として適用したものとなっている。しかも、板金製のものとは異なり、微細な寸法調整も行い易いものとなっているため仕様の多様化や製造の合理化に資するものとなっている。
【００４９】
プラスチック中空板Ｐが、一枚ないし二枚のシート材を凹凸形状に成形してなる中間シート８１と、中間シート８１を挟むように設けられた二枚の表層シート８２とによって構成されたものである。このため、プラスチック中空板Ｐにより作られた各板材１１、１２、１３は、中空をなして軽量化に優れたものとなり、且つ、強度に優れたものとなり、軽量化された格納コンテナＡの実現に寄与し得るものとなっている。
【００５０】
凹部Ｈ、Ｊが、メッシュパレットＢにおける上端部フレームＦを配設し得る底面視略直線状の部分ｈ１、ｊ１を有したものである。このため、メッシュパレットＢに対する格納コンテナＡの位置決めを好適に行い得るものとなっている。
【００５１】
凹部Ｈが、メッシュパレットＢにおける上端部フレームＦの角部分Ｆｃを配設し得る底面視略Ｌ字状の部分を有したものである。このため、格納コンテナＡが、メッシュパレットＢに対して殆どずれ動かない態様で段積みされ得るものとなっている。
【００５２】
スリーブ１の上部を閉塞し得る蓋体４を備えている。このため、雨水等により収容された物品が濡れてしまわないよう好適に遮ることができるだけでなく収容された物品を外部から視認されないように覆い隠すことができるものとなっている。
【００５３】
なお、本発明は、以上に詳述した実施形態に限られるものではない。
【００５４】
脚に設けた凹部の形態は種々設定可能であり、上述した実施形態に示したものに限定されるものではない。
【００５５】
例えば、図１１〜１３に示すようなものは、脚３における左右の側脚部材３１にのみ、メッシュパレットＢにおける上端部フレームＦを配設し得る底面視略直線状部分ｈ１のみを有した凹部Ｈを備えている。このようなものであっても、メッシュパレットＢの上端部フレームＦにおける左右の開口縁Ｆｓに凹部Ｈが係わり合うことになり、格納コンテナＡをメッシュパレットＢに対して好適に位置決めし得るものとなっている。また、この実施形態では、メッシュパレットＢの上端部フレームＦにおける前後の開口縁Ｆｚが左右の側脚部材３１及び中間脚部材３２の外側に位置することになるので、格納コンテナＡを搬送して当該格納コンテナＡをメッシュパレットＢ上に位置決めし易いものとなっている。
【００５６】
また、図１４に示すようなものも考えられる。この実施形態のものでは、左右の側脚部材３１に設けられた凹部Ｈは、メッシュパレットＢにおける上端部フレームＦを配設し得る底面視略直線状の部分ｈ１を有したものであるとともに、メッシュパレットＢにおける上端部フレームＦの角部分Ｆｃを配設し得る底面視略Ｌ字状の部分ｈ２を有したものであり、全体としてコ字状をなしている。また、中間脚部材３２に設けられた凹部Ｊは、メッシュパレットＢにおける上端部フレームＦを配設し得る底面視略直線状の部分ｊ１を有したものとなっている。左右の側脚部材３１における凹部Ｈの前端部及び後端部に位置する直線状部分、及び、中間脚部材３２の前端部及び後端部に配された凹部Ｊは、それぞれ下方に開放されたものであるとともに外側方にも開放された形状をなしている。このため、図１４に示す実施形態のものであれば、格納コンテナＡを搬送してメッシュパレットＢ上に位置決めし易いものとなっているだけでなく、中間脚部材３２もメッシュパレットＢと係り合い荷重を受け止める機能を好適に発揮し得るものとなる。
【００５７】
その他、本発明の各構成は種々の形態を採り得るものである。
【００５８】
スリーブは、板材間に形成される稜線部に金属製のフレーム材を設けたものであればよい。つまり、金属製のフレーム材は、板材間に介在したものに限られるものではない。例えば、板材により形成された角部分の外面に金属製のフレーム材を添着させたものであってもよい。より具体的な例を挙げれば、プラスチック中空板等を用いて四角筒状に形成されたスリーブ本体における四箇所の角部分の外面や内面に、平面視ないし断面視Ｌ字状をなす金属製のフレーム材を添着させたものであってもよい。
【００５９】
金属製のフレーム材は、種々の構成のものを適用することができるものである。例えば、板材の両端部に金属製のフレーム材構成要素を止着させたものであってもよい。このようなものであれば、一方の板材に設けたフレーム材構成要素を他の板材に設けたフレーム材構成要素に係合させることにより、一方及び他方の板材同士を剛性に優れたフレーム材構成要素を利用して連結することができるものとなる。
【００６０】
脚に設けられた凹部は、メッシュパレットの上端部フレームが配設され得るように少なくとも下方に開放したものであればよい。換言すれば、凹部は、メッシュパレットの上端部フレームと係合し得る凹みをなしたものであればよく、外側方に開放されたものであってもよい。また、凹部は連続的に設けられているものでなくてもよく、間欠的に設けられたものであってもよい。
【００６１】
脚の形態についても、上述したものに限られず、種々設定可能であることは言うまでもない。脚は、上述した実施形態のように側脚部材と中間脚部材とに分離したものでなくてもよく、フォークリフトにより搬送され得る好適な形態を有しているものであれば単一の部材により構成された脚を用いたものであってもよいし、左右の側脚部材のみを採用したものであってもよい。
【００６２】
スリーブを構成する板材は、種々のものを適用することができる。例えば、板材として異形押出によるプラスチック段ボールを用いてもよい。
【００６３】
また、板材の表面に、例えば、使用者名や収納される物品名や意匠性を高めるための模様等の表示物を印刷やステンシルや手書きによりを表示させてもよいのはもちろんのことである。ここで、印刷やステンシルによる表示物の表示を行う場合には、プラスチック中空板等の中空の軽量合成板を用いることが望ましい。すなわち、一定以上の厚みを有する異形押出によるプラスチック段ボールでは、表層の外面側に生ずるヒケ（凹み）が大きくなりやすい。このため、厚み寸法が大きいほど表面の平滑性が失われ、印刷やステンシルによる表示物がかすれたりにじんだりしやすく美観を損ねる原因になる。
【００６４】
下のパレットは、完全に閉塞したものに限られず、外部に埃や水を排出し得るような連通孔を設けたものであってもよい。
【００６５】
スリーブを構成する各板材の寸法、すなわち、前の板材、後の板材、及び、左右の板材の寸法を、下のパレットの寸法よりも小さく設定し、格納コンテナを使用しない場合等に、各板材を、下のパレットに収納させて（例えば、下のパレットの底壁と外側壁とによって形成される凹部内に収納させて）コンパクトな形態を採り得るようにしてもよい。より具体的な構成の一例としては、下のパレットの上に水平板状のベース板を設け、当該ベース板の周端縁と各板材の下端縁とを回転可能に接続したものが考えられる。この場合、各板材の下端縁近傍には、各板材の重なり合いを考慮して水平方向に配された複数のヒンジを上下方向に複数設けておくことが望ましい。
【００６６】
その他、各部の具体的構成についても上記実施形態に限られるものではなく、本発明の趣旨を逸脱しない範囲で種々変形が可能である。
【符号の説明】
【００６７】
Ａ…格納コンテナ
Ｂ…メッシュパレット
Ｆ…上端部フレーム
Ｈ…凹部
Ｊ…凹部
１…スリーブ
２…下のパレット
３…脚
１１…前の板材
１２…後の板材
１３…左右の板材
１４…フレーム材
【図１】
2020083366.tif 000003
【図２】
2020083366.tif 000004
【図３】
2020083366.tif 000005
【図４】
2020083366.tif 000006
【図５】
2020083366.tif 000007
【図６】
2020083366.tif 000008
【図７】
2020083366.tif 000009
【図８】
2020083366.tif 000010
【図９】
2020083366.tif 000011
【図１０】
2020083366.tif 000012
【図１１】
2020083366.tif 000013
【図１２】
2020083366.tif 000014
【図１３】
2020083366.tif 000015
【図１４】
2020083366.tif 000016